(57)【特許請求の範囲】
【請求項１】
モータに連結され、マグネットを備えた駆動用の第１回転体と、
ポンプケース内に収納され、この第１回転体の磁気力により従動する、マグネットを備えた羽根車と、からなるポンプにおいて、
このポンプケース内に収納された羽根車は、マグネットと、薄形のドーナツ状であり、内、外形に複数個の切り欠きが形成され、前記マグネットに面接触している金属製バックヨークとがインサート成形されることにより、
前記バックヨークの切り欠き、および、前記バックヨークーへの前記マグネットの着磁力によりマグネットの剥れが防止され、かつ、安定した磁気回路を得ることを特徴とするポンプ。
【発明の詳細な説明】
【０００１】
【産業上の利用分野】
マグネットを樹脂でインサート成形して形成されたマグネット付き回転体に関する。
【０００２】
【従来の技術】
ポンプなどに用いられる回転体を有するポンプ用モータを従来例に、図５を用いて説明する。図５は、従来における回転体が取り付けられたポンプ用モータの部分側断面図である。
【０００３】
図５において、モータ部２１は、巻線２２が巻回された固定子１３と、この固定子２３の内周部に設けられた回転子２４と、回転子２４を支持する２個の軸受２５と、軸受２５を収納し、固定したベアリングブラッケット２６とで構成されている。
【０００４】
そして、回転子２４の一方の先端部には、第１回転体２７が取り付けられている。この第１回転体２７は、マグネット２８を樹脂２９でインサート成形して形成されている。
【０００５】
また、モータ部２１には、水を吸引、放出するポンプ部３０が取り付けられている。このポンプ部３０の内部には、水を流動させるための第２の回転体３１が設けられている。この第２の回転体３１は、第１回転体２７と同様に、マグネット３２を樹脂３３でインサート成形して形成されている。そして、モータ部２１にポンプ部３０が取り付けられると、防水用壁３４を隔てて、第１回転体２７と第２の回転体３１が対向して設けられる。
【０００６】
そして、モータ部２１に電源が供給されて、回転子２４が回転すると、回転子２４に取り付けられている第一の回転体２７も回転を開始する。そして、第一の回転体２７のマグネット２８が回転することにより、第２の回転体３１のマグネット３２が回転し、第２の回転体３１が回転する。そして、この第２の回転体３１が回転することにより、ポンプ部３０内にある水が流動し、ポンプ部３０の吸入口３５より水を吸引し、排出口（図示しない）から水を放出する。
【０００７】
【発明が解決しようとする課題】
以上のような構成において、樹脂にはめ込まれている輪状のマグネットは、このマグネットの真円状の外周面、内周面、および平坦な一方の側面と、樹脂とを接面させてマグネットの抜け止め、および空転防止を行っている。また、マグネットに抜け止め機構、および空転防止機構を設けると、例えばマグネットが焼結マグネットの場合、形状が複雑になってマグネットのコストアップになる。
【０００８】
また、樹脂などで成形されるマグネットを使用して抜け止め機構、および空転防止機構を設けると、この製品専用のマグネットとなり、汎用性がなくなり、標準化が難しくなる。
【０００９】
【課題を解決するための手段】
そこで、本発明によれば、モータに連結され、マグネットを備えた駆動用の第１回転体と、ポンプケース内に収納され、この第１回転体の磁気力により従動する、マグネットを備えた羽根車と、からなるポンプにおいて、このポンプケース内に収納された羽根車は、マグネットと、薄形のドーナツ状であり、内、外形に複数個の切り欠きが形成され、前記マグネットに面接触している金属製バックヨークとがインサート成形されることにより、前記バックヨークの切り欠き、および、前記バックヨークーへの前記マグネットの着磁力によりマグネットの剥れが防止され、安定した磁気回路を得ることを特徴とするポンプを提供する。
【００１０】
【作用】
空転防止機構の設けられたバックヨークを磁力あるいは接着などにより、マグネットに取り付ける。そして、このバックヨークが取り付けられたマグネットを樹脂などによりインサート成形して回転体を形成する。
【００１１】
【実施例】
本発明における実施例を従来例と同じ回転体を用いて、図１〜図４で説明する。図１は、本発明におけるバックヨークとこのバックヨークに取り付けられたマグネットの側断面図である。図２は、図１のマグネットとバックヨークとをバックヨーク側からみた正面図である。図３は、図１のマグネットとバックヨークとを用いて形成した回転体の側断面図である。図４は、図３の回転体が取り付けられたポンプ用モータの部分側断面図である。
【００１２】
図１、図２において、マグネット１は、輪状に形成されている。バックヨーク２は、金属製（例えば鉄）または非金属製（例えばステンレス）の板が輪状に形成されている。また、バックヨーク２の外周部および内周部には、それぞれ切り欠け部２ａ、２ｂが設けられている。また、このバックヨーク２の外径は、マグネット１の外径より大きく、また、バックヨーク２の内径は、マグネット１の内径より小さく形成されている。
【００１３】
そして、マグネット１の軸心とバックヨーク２の軸心とを同心上に配設して取り付ける。このとき、例えば、金属製のバックヨーク２とマグネットとを取り付ける場合は、マグネット１の磁力のみで取り付けてもよいし、また、取り付ける力が磁力以上に必要な時は、接着してもよい。
【００１４】
図３において、第２の回転体３は、従来例で説明した図５の第２の回転体２１と同様に、水を流動させるために使用する。本発明における第２の回転体３は、マグネット１と、このマグネット１に取り付けられているバックヨーク２とを樹脂４でインサート成形して構成されている。
【００１５】
よって、バックヨーク２の外周部または内周部に切り欠け部２ａ、２ｂを設けることにより、マグネット１の空転防止になる。つまり、切り欠け部２ａ、２ｂは、空転防止機構の役割を果たす。
【００１６】
そして、バックヨーク２の外周をマグネット１の外周よりも大きく、あるいはバックヨーク２の内周をマグネット１の内周よりも小さくすることにより、マグネット１の抜け止めとなる。つまり、マグネットとバックヨークの接触面に段付き部を設けることにより、抜け止め機構の役割を果たす。
【００１７】
図４において、モータ部５は、従来例と同様に構成されている。また、ポンプ部６も従来例と同様に構成されており、ポンプ部６の内部には、第２の回転体３が設けられている。またモータ部５の回転子７には、第１回転体８が取り付けられている。この第１回転体８は、さきに述べた第２の回転体３と同様にマグネット９と、このマグネット９に取り付けられているバックヨーク１０とを樹脂１１でインサート成形して構成されている。
【００１８】
また、回転体に取り付けられているマグネットに近接した箇所に、鉄板などを配設する場合、この鉄板にマグネットの磁束が漏れて、安定した磁気回路を形成できないことがある。そこで、本発明におけるバックヨークに金属製のものを使用すれば、磁束がこのバックヨークを通って磁気回路を形成することができるため安定した、効率の良い磁気回路を形成することができる。
【００１９】
【発明の効果】
本発明によれば、マグネットの抜け止めおよび空転防止を行うことができる。さらに、金属製のバックヨークを使用した場合、安定した磁気回路を形成することができる。
【００２０】
【図面の簡単な説明】
【図１】  本発明におけるバックヨークとこのバックヨークに取り付けられたマグネットの側断面図。
【図２】  図１のマグネットとバックヨークとをバックヨーク側からみた正面図。
【図３】  図１のマグネットとバックヨークとを用いて形成した回転体の側断面図。
【図４】  図３の回転体が取り付けられたポンプ用モータの部分側断面図。
【図５】  従来における回転体が取り付けられたポンプ用モータの部分側断面図。
【符号の説明】
１、９、２８、３２…マグネット
２、１０…バックヨーク
２ａ、２ｂ…切り欠け部
３、３１…第２の回転体
４、１１、２９、３３…樹脂
５、２１…モータ部
６、３０…ポンプ部
７、２４…回転子
８、２７…第１回転体
２２…巻線
２３…固定子
２５…軸受
２６…ベアリングブラッケット
３４…防水用壁
３５…吸入口
【図１】
0003958402.tif 000002
【図２】
0003958402.tif 000003
【図３】
0003958402.tif 000004
【図４】
0003958402.tif 000005
【図５】
0003958402.tif 000006